(57)【要約】  電気音響変換器は、長手方向軸に沿って延在するスリーブと、スリーブの第１の端部でスリーブに結合された振動板と、スリーブ内のサブ組立体と、振動板から実質的に離れる方向において、サブ組立体から延在する位置合わせ要素と、を備える。
2019518389.tif 000002
【特許請求の範囲】
【請求項１】
長手方向軸に沿って延在するスリーブと、
前記スリーブの第１の端部で前記スリーブに結合された振動板と、
前記スリーブ内のサブ組立体と、
前記振動板から実質的に離れる方向において、前記サブ組立体から延在する位置合わせ要素と、
を備える、電気音響変換器。
【請求項２】
前記サブ組立体が、磁石及び背面板を備え、前記磁石が、前記振動板と前記背面板との間に位置付けられ、前記位置合わせ要素が、前記振動板から実質的に離れる方向において、前記背面板から延在している、請求項１に記載の電気音響変換器。
【請求項３】
前記位置合わせ要素が、前記背面板の幅未満である幅を有し、前記位置合わせ要素が、前記背面板の中心領域から延在する、請求項２に記載の電気音響変換器。
【請求項４】
前記位置合わせ要素が、前記第１の端部の反対側の前記スリーブの第２の端部の方向において、前記長手方向軸に沿って、前記背面板から延在する、請求項２に記載の電気音響変換器。
【請求項５】
前記位置合わせ要素が、前記電気音響変換器の組み立て中に、前記サブ組立体を前記スリーブ内に位置合わせするための外部位置合わせ装置と連通するように構築及び配置されている、請求項１に記載の電気音響変換器。
【請求項６】
前記スリーブの前記第２の端部に回路基板を更に備え、前記回路基板が、開口部を含み、前記位置合わせ要素が、前記回路基板内の前記開口部を通って延在し、前記回路基板を前記スリーブの表面に対して位置合わせする、請求項１に記載の電気音響変換器。
【請求項７】
前記回路基板と前記背面板との間に空洞部を更に備え、前記位置合わせ要素が、前記長手方向軸に沿って、前記背面板から、前記空洞部を通って、前記回路基板内の前記開口部まで延在している、請求項６に記載の電気音響変換器。
【請求項８】
前記背面板の周辺部と前記スリーブの内壁との間の間隙であって、その間の距離が、前記背面板の前記周辺部の周囲において、前記背面板の前記周辺部及び前記スリーブの前記内壁から一定である、間隙と、
前記背面板の前記周辺部を囲み、前記背面板を前記スリーブに固定する、前記間隙内の接着剤と、
を更に備える、請求項１に記載の電気音響変換器。
【請求項９】
前記接着剤が、硬質の、速硬化接着剤である、請求項８に記載の電気音響変換器。
【請求項１０】
電気音響変換器の位置合わせ要素であって、
前記電気音響変換器に結合するために、構築及び配置された第１の部分であって、前記第１の部分が、第１の延在方向に延在する実質的に平坦な表面を有し、前記第１の部分が、第１の幅を有する、第１の部分と、
前記第１の延在方向に垂直な第２の延在方向に、前記第１の部分から延在する長さを有する第２の部分であって、前記第２の部分が、前記第１の部分の前記幅未満である幅を有する、第２の部分と、
を備える、電気音響変換器の位置合わせ要素。
【請求項１１】
前記第１の部分が、前記電気音響変換器のスリーブに位置決めするために構築及び配置された背面板を含む、請求項１０に記載の位置合わせ要素。
【請求項１２】
前記背面板が、前記背面板の周辺部の周囲に複数の通気孔を含む、請求項１１に記載の位置合わせ要素。
【請求項１３】
前記背面板が、前記電気音響変換器のスリーブに直接当接し、かつ面一となる、請求項１１に記載の位置合わせ要素。
【請求項１４】
前記背面板の周辺部と前記スリーブの内壁との間の間隙であって、その間の距離が、前記背面板の前記周辺部の周囲において、前記背面板の前記周辺部及び前記スリーブの前記内壁から一定である、間隙と、
前記背面板の前記周辺部を囲み、前記背面板を前記スリーブに固定する、前記間隙内の接着剤と、を更に備える、請求項１１に記載の位置合わせ要素。
【請求項１５】
前記位置合わせ要素が、前記電気音響変換器の組み立て中に、前記サブ組立体を前記スリーブ内に位置合わせするための外部位置合わせ装置と連通するように構築及び配置されている、請求項１０に記載の位置合わせ要素。
【請求項１６】
前記位置合わせ要素が、変換器スリーブの前記端部で回路基板内の開口部を通って延在し、かつ前記回路基板を前記変換器スリーブの表面に対して位置合わせするように構築及び配置されている、請求項１０に記載の位置合わせ要素。
【請求項１７】
電気音響変換器を組み立てるための方法であって、
振動板をスリーブに結合するステップと、
前記振動板にボイスコイルを取り付けるステップと、
前記振動板と前記ボイスコイルとを連通させるためのサブ組立体を提供するステップであって、前記サブ組立体が、磁石、背面板、及び前記背面板から延在する位置合わせ要素を含む、サブ組立体を提供するステップと、
前記位置合わせ要素を、前記スリーブ内の前記サブ組立体を前記ボイスコイル及び前記振動板に対して位置合わせするための位置合わせ装置に結合するステップと、を含む、方法。
【請求項１８】
前記背面板又は前記スリーブの内部のうちの少なくとも１つに接着剤を塗布するステップと、前記接着剤の硬化前に、前記スリーブ内の前記サブ組立体を位置合わせステップことと、を更に含む、請求項１７に記載の方法。
【請求項１９】
プリント回路基板を前記スリーブに結合するステップを更に含み、前記位置合わせ要素が、前記プリント回路基板内の開口部を通って延在する、請求項１７に記載の方法。
【請求項２０】
前記位置合わせ要素が、前記振動板から離れる方向において、背面板から延在し、前記方法が、前記背面板を前記サブ組立体に結合するステップを更に含む、請求項１７に記載の方法。
【発明の詳細な説明】
【技術分野】
【０００１】
関連出願
本出願は、２０１６年６月１４日出願の米国特許出願第１５／１８２，０１４号、名称「Ａｓｓｅｍｂｌｙ  Ａｉｄ  ｆｏｒ  Ｍｉｎｉａｔｕｒｅ  Ｔｒａｎｓｄｕｃｅｒ」の優先権及び利益を主張し、その全体が参照により本明細書に援用される。
【背景技術】
【０００２】
本説明は、概して、ノイズキャンセリングヘッドホン用変換器に関し、より具体的には、電気音響変換器を組み立てるための精密位置合わせ技術及び補助具に関する。
【発明の概要】
【課題を解決するための手段】
【０００３】
一態様によると、電気音響変換器は、長手方向軸に沿って延在するスリーブと、スリーブの第１の端部でスリーブに結合された振動板と、スリーブ内のサブ組立体と、振動板から実質的に離れる方向において、サブ組立体から延在する位置合わせ要素と、を備える。
【０００４】
態様は、下記の特徴のうちの１つ以上を含むことができる。
【０００５】
サブ組立体は、磁石及び背面板を備えてもよく、磁石は、振動板と背面板との間に位置付けられている。位置合わせ要素は、振動板から実質的に離れる方向において、背面板から延在してもよい。
【０００６】
位置合わせ要素は、背面板の幅未満である幅を有してもよい。位置合わせ要素は、背面板の中心領域から延在してもよい。
【０００７】
位置合わせ要素は、第１の端部の反対側のスリーブの第２の端部の方向において、長手方向軸に沿って、背面板から延在してもよい。
【０００８】
位置合わせ要素は、電気音響変換器の組み立て中に、サブ組立体をスリーブ内に位置合わせするための外部位置合わせ装置と連通するように構築及び配置されてもよい。
【０００９】
電気音響変換器は、スリーブの第２の端部で、回路基板を更に備えてもよい。回路基板は、開口部を含み得る。位置合わせ要素は、回路基板内の開口部を通って延在してもよく、回路基板をスリーブの表面に対して位置合わせする。
【００１０】
電気音響変換器は、回路基板と背面板との間に空洞部を更に備えてもよい。位置合わせ要素は、背面板から空洞部を通って回路基板内の開口部に、長手方向軸に沿って延在してもよい。
【００１１】
電気音響変換器は、背面板の周辺部とスリーブの内壁との間の間隙であって、その間の距離が、背面板の周辺部の周囲において、背面板の周辺部及びスリーブの内壁から一定である、間隙と、背面板の周辺部を囲み、背面板をスリーブに固定する、間隙内の接着剤と、を更に備えてもよい。
【００１２】
接着剤は、硬質の速硬化接着剤であってもよい。
【００１３】
別の態様によると、電気音響変換器の位置合わせ要素は、電気音響変換器に結合するために構築及び配置された第１の部分を備え、第１の部分が第１の延在方向に延在する実質的に平坦な表面を有し、第１の部分が第１の幅を有し、及び第２の部分が第１の延在方向に垂直な第２の延在方向に、第１の部分から延在する長さを有し、第２の部分が第１の部分の幅未満である幅を有する。
【００１４】
態様は、下記の特徴のうちの１つ以上を含むことができる。
【００１５】
第１の部分は、電気音響変換器のスリーブに位置決めするために構築及び配置された背面板を含んでもよい。
【００１６】
背面板は、背面板の周辺部の周囲に複数の通気孔を含んでもよい。
【００１７】
背面板は、電気音響変換器のスリーブに直接当接し得、かつ面一となってもよい。
【００１８】
位置合わせ要素は、背面板の周辺部とスリーブの内壁との間の間隙であって、その間の距離が、背面板の周辺部の周囲において、背面板の周辺部及びスリーブの内壁から一定である、間隙と、背面板の周辺部を囲み、背面板をスリーブに固定する、間隙内の接着剤と、を更に備えてもよい。
【００１９】
位置合わせ要素は、電気音響変換器の組み立て中に、サブアセンブリをスリーブ内に位置合わせするための外部位置合わせ装置と連通するように構築及び配置されてもよい。
【００２０】
位置合わせ要素は、変換器スリーブの端部で回路基板内の開口部を通って延在し、かつ回路基板を変換器スリーブの表面に対して位置合わせするように構築及び配置されてもよい。
【００２１】
別の態様によると、電気音響変換器を組み立てるための方法は、振動板をスリーブに結合するステップと、振動板にボイスコイルを取り付けるステップと、振動板とボイスコイルとを連通させるためのサブ組立体を提供するステップであって、サブ組立体が、磁石、背面板、及び背面板から延在する位置合わせ要素を含む、提供するステップと、位置合わせ要素を、スリーブ内のサブ組立体をボイスコイル及び振動板に対して位置合わせするための位置合わせ装置に結合するステップと、を含む。
【００２２】
態様は、下記の特徴のうちの１つ以上を含むことができる。
【００２３】
本方法は、背面板又はスリーブの内部のうちの少なくとも１つに接着剤を塗布するステップと、接着剤の硬化前に、スリーブ内のサブ組立体を位置合わせするステップと、を更に含んでもよい。
【００２４】
本方法は、プリント回路基板をスリーブに結合するステップを更に含んでもよく、位置合わせ要素が、プリント回路基板内の開口部を通って延在する。
【００２５】
位置合わせ要素は、振動板から離れる方向において、背面板から延在してもよい。本方法は、背面板をサブ組立体に結合するステップを更に含んでもよい。
【００２６】
本発明の概念の実施例の上記及び更なる利点は、添付の図面と共に下記の記述を参照することによって一層よく理解できるであろう。様々な図において同一の数字は同一の構造的要素及び機能を示す。図面は必ずしも縮尺どおりではなく、むしろ、実施形態の機能及び原理を説明することに重点が置かれている。
【図面の簡単な説明】
【００２７】
【図１】いくつかの実施例による、電気音響変換器の分解斜視図である。
【図２】図１の電気音響変換器の背面板及び位置合わせ要素の斜視図である。
【図３】断面に沿った、図１の電気音響変換器の別の分解斜視図である。
【図４】断面に沿った、図１〜３の電気音響変換器の組立斜視図である。
【図５】図４の電気音響変換器の組立斜視図である。
【図６】いくつかの実施例による、別個のプリント回路基板（ＰＣＢ）を含む、図１〜５の電気音響変換器の斜視図である。
【図７】変換器に結合されたプリント回路基板（ＰＣＢ）を含む、図６の電気音響変換器の斜視図である。
【図８】断面に沿った、図６及び７の電気音響変換器の正面図である。
【発明を実施するための形態】
【００２８】
現代のインイヤ型ヘッドホン、又はイヤホンは、周囲の空気を押し、ユーザへの出力である、音響を作り出す振動板に取り付けられた、電気音響ドライバ又は変換器と称される、マイクロスピーカを典型的に含む。それを行う際、マイクロスピーカは、装置が使用される全周波数範囲にわたって、十分な音圧を生成しなければならない。
【００２９】
インイヤ型ヘッドホンの電気音響変換器は、小型変換器の１つの個別構成部品の特徴を、隣接する別の構成部品の特徴と位置合わせすることによって典型的に組み立てられる。一実施例は、ボイスコイル、ボビン、サラウンド、及び／又は変換器の関連する要素に関して、磁石サブ組立体の変換器ハウジング内部への位置合わせである。多くの場合、シム等の内部組立ゲージが、構成部品を互いに位置合わせするために使用され得る。
【００３０】
小型変換器に関して、例えば、それらは、インイヤ型ヘッドホンにおける能動ノイズ低減（ＡＮＲ）において、個々の構成部品のサイズが、確実に一貫した嵌合状態を与えるためには、構成部品の特徴に依存するには小さすぎるということを見出した。位置合わせゲージは、小型変換器の内部の構成部品を位置合わせするために必要な小型サイズ要件に起因して、それらが壊れやすいため、不十分である。換言すれば、位置合わせゲージは、例えば、アクセスの不足に起因して、小型変換器ハウジング内のサブ組立体構成部品の正確な位置合わせを実行するための変換器ハウジング内の挿入が、制限され得るか、又は別様に、防止され得る。
【００３１】
いくつかの実施例によれば、位置合わせ要素又は「ナブ」と称される、組立補助具が、変換器構造体の背面板から延在し、そのため背面板が、位置合わせ機器の大きいピースにより小型変換器のハウジング又はスリーブ内に固定、位置合わせ、較正、調整、又は別様に移動され得、変換器内への挿入のために位置合わせデバイスのサイズを低減させる必要性、及び上述された欠点となりやすくする傾向を無くす。「ブラインド」様式における小型変換器内のハウジング内へのサブ組立体の挿入は、位置合わせ要素の存在を必要とする。小型変換器に外部で位置合わせを実行するために、このようにマイクロサイズの構成部品特性から機器のマイクロサイズのピースに位置合わせの精度を移行することは、高性能の小型変換器に必要な高精度の位置合わせが必要とされる。
【００３２】
別の利益は、変換器の組立が改善され、磁石組立体内の磁石が、組み立て前に事前磁化されることである。磁石上の大きい横力に起因して、硬質の、外部位置合わせ固定装置が、変換器スリーブに対する磁石組立体の正確な位置合わせを確実とするために重要である。
【００３３】
図１を参照すると、電気音響変換器１０は、スリーブ２２と、振動板２４と、サブ組立体３０と、位置合わせ要素３８と、を備える。スリーブ２２は、長手方向軸（Ａ）に沿って延在する。いくつかの例において、スリーブ２２は、円筒状の形状又は同様のものを有するが、これに限定されるものではない。スリーブ２２は、１つ以上の開口部４５を含み得、それを通ってボイスコイル引出線（図示せず）が延在し得る。
【００３４】
スリーブ２２は、振動板２４がその周囲に位置決めされる第１の端部４１、及びサブ組立体３０が挿入される第２の端部４２を含む。振動板２４は、ボンド、接着剤、又は他の周知の取り付け技術によってスリーブ２２の第１の端部４１に結合することができる。図示されない、他の実施例において、サラウンドと称されることもあるサスペンション要素は、スリーブ２２の第１の端部４１の周辺部で振動板２４の間に配置されてもよい。振動板２４は、実質的に平坦な形状を有して示されるが、それに限定されるものではない。例えば、振動板は、振動板２４に望ましい音響を生成させるために、ドーム形状であってもよく、又は他の形状であってもよい。サラウンド及び振動板２４は、単一の構成部品として、又は別個の構成部品として構築され得、スリーブ２２内に位置決めされたボイスコイル３５に印加される電流に応答して、振動板２４が往復運動の様式で移動することを可能にする。他の実施例において、振動板２４は、例えば、振動板２４の中央領域が周辺領域よりもより剛性を有する等、異なる剛性又は同様のものを有してもよい。
【００３５】
図４に示すように、モータ組立体４０の磁石がボイスコイル３５内に位置決めされるようないくつかの実施例において、スリーブ２２の外径は、約８ｍｍ未満である。いくつかの実施例において、スリーブ２２は、約４．５ｍｍ未満である外径を有する。他の実施例において、スリーブ２２は、約３．０ｍｍ〜４．５ｍｍの外径を有する。他の実施例において、スリーブ２２は、約３．３ｍｍ〜４．２ｍｍの外径を有する。他の実施例において、スリーブ２２は、約３．６ｍｍ〜３．９ｍｍの外径を有する。いくつかの実施例において、磁石は、約１．５ｍｍ〜４．５ｍｍの径を有する。他の実施例において、磁石は、約２．０ｍｍ〜４．０ｍｍの径を有する。他の実施例において、磁石は、約２．５ｍｍ〜３．５ｍｍの径を有する。いくつかの実施例において、ドライバの放射面積の全断面積に対する比は、約０．７である。いくつかの実施例において、ドライバの放射面積の全断面積に対する比は、０．５７〜０．７である。いくつかの実施例において、ドライバの放射面積の全断面積に対する比は、０．６〜０．６７である。いくつかの実施例において、ドライバの放射面積の全断面積に対する比は、０．６２〜０．６５である。
【００３６】
図４に示されるように、サブ組立体３０の背面板２０は、ボンド、接着剤、又は他の周知の取り付け技術、例えば、背面板２０の周面及びスリーブ２２の内部表面との間に接着剤を塗布することによって、スリーブ２２の第２の端部４２に結合することができる。背面板２０は、背面板２０の周辺部の周囲に形成された複数の通気孔２１を含んでもよい。通気孔２１と空洞部３９との組み合わせが、変換器１０の周波数応答に寄与し、又は周波数応答を具現化し得る。サブ組立体３０は、背面板２０及び／又はスリーブ２２の内部のうちの少なくとも１つに塗布された接着剤が硬化する前に、接着剤が硬化するまで、例えば、位置合わせ要素３８に取り外し可能に取り付けられた外部位置合わせデバイス（図示せず）によって、スリーブ２２内に位置合わせされ得る。
【００３７】
外部位置合わせデバイスの実施例は、実質的に共線的な主軸台及び心押台を有し、共線軸に沿って軸方向運動を可能にし、許容運動のみが共線の軸に沿っているように、共線の軸の周囲にセンタリングされた位置において、スリーブ及びハブの両方を固定するための設備を更に有する、位置合わせ固定具を含み得る。
【００３８】
いくつかの実施例において、背面板２０は、スリーブ２２の内壁に直接当接し得、かつ面一となってもよい。他の実施例において、間隙が、背面板２０の周辺部とスリーブ２２の内壁との間に存在し得る。ここで、間隙は、接着剤により充填される。
【００３９】
位置合わせ要素３８と連通するとき、位置合わせデバイスは、背面板２０の最も外側の縁、すなわち３６０度は、スリーブ２２の内壁から一定の距離、すなわち等距離であるように、背面板２０に位置合わせするように使用することができる。接着剤は、所定のかつ許容される公差内の所望の位置合わせが実現された後、硬化され得る。接着剤は、好ましくは、硬質の合理的な速硬化接着剤を含む。したがって、スリーブ２２の内壁と背面板２０の表面との間の接着剤の量は、背面板２０の周辺部の周囲において実質的に一定である。スリーブ２２は、例えば、ボビン３３及びボイスコイル３５を含む図３及び図４に示されるように、振動板２４及び／又はスリーブ２２内に位置決めされる他のドライバ要素から所定の固定距離及び配向でサブ組立体３０を位置決めするように構築かつ配置される。
【００４０】
図３及び図４の実施例内に示されるように、サブ組立体３０は、一体ユニットを形成するために共に結合され得る、モータ組立体４０、背面板２０、及び位置合わせ要素３８を備えてもよい。
【００４１】
モータ組立体４０は、振動板２４と背面板２０との間に位置決めするために構築かつ配置される。モータ組立体４０は、１つ以上の永久磁石を備え、所望のスピーカ出力のための所定の磁界を提供するように構成される。
【００４２】
背面板２０は、延在方向、又はスリーブ２２の長手方向軸（Ａ）に実質的に垂直に位置合わせされる延在方向において、延在している実質的に平坦な表面を有する。位置合わせ要素３８は、振動板２４から実質的に離れる方向において、背面板２０から延在する。位置合わせ要素３８及び背面板２０は、離れて形成されてもよく、かつ、例えば、ボンド、接着剤、ねじ付きねじ、又は同様のものにより、互いに結合されてもよい。代替的に、位置合わせ要素３８及び背面板２０は、例えば、共通の金属素材、射出成形型、などの形態で、一体化されてもよい。他の実施例において、背面板２０及び位置合わせ要素３８は、モータ組立体４０と一体型である。例えば、背面板２０は、振動板２４に向かって、位置合わせ要素３８の反対側の背面板２０の側面から延在する磁極片（図示せず）を含むことができ、そのためボイスコイル３５が磁極片を中心に位置決めされる。
【００４３】
いくつかの実施例において、位置合わせ要素３８は、位置合わせ要素３８がスリーブ２２の壁と実質的に平行である、及び／又は背面板２０の延在方向がスリーブ２２の延在方向（Ａ）に垂直であるように、スリーブ２２と同じ延在方向、又は長手方向軸（Ａ）に沿って延在する。位置合わせ要素３８は、電気音響変換器１０の組立中に、サブ組立体３０をスリーブ２２内に位置合わせするために、位置合わせ装置と連通するように構築及び配置されてもよい。より具体的には、位置合わせ要素３８は、サブ組立体をボイスコイル３５及び振動板２４に対してスリーブ内に位置決めするための、位置決め装置と取り外し可能に結合され、例えば、必要とされる深さ、角度、同軸度などで、サブ組立体３０をスリーブ２２の内部に位置決めし、モータ組立体４０がスリーブ２２内のボイスコイル３５に対して適切に位置決めされていることを確実とする。位置合わせ要素３８は、示されるように円筒状であってもよく、又は、例えば、本明細書に説明されるように、外部位置合わせ装置又はツールが、小型変換器のアセンブリに関して位置合わせ動作を実行することを可能にする別の形状であってもよい。
【００４４】
図６及び図７に示されるように、プリント回路基板（ＰＣＢ）６０は、例えば、ボンド、接着剤、又は他の結合技術によって、スリーブ２２の第２端部に結合することができる。ＰＣＢ６０は、例えば、ＰＣＢ６０の実質的な中心において、開口部６１を含むことができ、位置合わせ要素３８は、ＰＣＢ６０内の開口部を通って延在することができる。位置合わせ要素３８は、例えば、ＰＣＢ６０の最も外側の縁全体、すなわち、３６０度が、スリーブ２２から一定の距離であるように、ＰＣＢ６０に位置合わせされるように動作することができる。これを達成するため、位置合わせ要素３８は、背面板２０のものを下回る、幅、径、又は他の幾何学形状を有してもよい。
【００４５】
電気音響変換器１０は、ＰＣＢ６０及び背面板２０を所定の距離だけ離間させる、空洞部３９を含んでもよい。位置合わせ要素３８は、背面板２０から空洞部３９を通ってＰＣＢ６０まで、長手方向軸（Ａ）に沿って延在する。
【００４６】
いくつかの実装形態を説明してきた。それにもかかわらず、前述の説明が、請求項の範囲により規定される本発明の概念の範囲を図説するものであり、限定しないものであることが理解されるであろう。他の実施例は下記の特許請求の範囲内にある。
【符号の説明】
【００４７】
１０  変換器
２０  背面板
２１  通気孔
２２  スリーブ
２４  振動板
３０  サブ組立体
３３  ボビン
３５  ボイスコイル
３９  空洞部
４０  モータ組立体
４１  第１の端部
４２  第２の端部
６０  プリント回路基板（ＰＣＢ）
６１  開口部
【図１】
2019518389.tif 000003
【図２】
2019518389.tif 000004
【図３】
2019518389.tif 000005
【図４】
2019518389.tif 000006
【図５】
2019518389.tif 000007
【図６】
2019518389.tif 000008
【図７】
2019518389.tif 000009
【図８】
2019518389.tif 000010
【国際調査報告】
2019518389.tif 000011
2019518389.tif 000012